(57)【要約】【課題】ハイライト及び／又はカスタムのカラー画像を画像受容体上に形成する。【解決手段】ラスタ出力スキャナ（ＲＯＳ）２８が、光伝導ベルト１０の第１の光伝導部材上に第１の潜像を記録し、光伝導ベルト１０が、矢印１４に沿って送られる。第１の現像ユニット３０は、この第１の潜像を現像することにより第１の現像画像を形成する。次に画像記録ステーション１８が有するＲＯＳが、光伝導ベルト１０の第１の光伝導部材と転写領域にて密に隣り合う第２の光伝導部材上に第２の潜像を記録し、光伝導ベルト１０が、矢印１４に沿って送られる。第２の現像ユニットは、この第２の潜像を現像することにより第２の現像画像を形成する。その後、光伝導ベルト１０上の画像は転写ステーション５６へと進み、ここで、コロナ発生器６０により、紙の裏面上にイオンがスプレーされ、現像された多色トナー画像が、光伝導ベルト１０の外表面から紙のシート上へ転写する。【選択図】図１
2005134901.tif 000002
【特許請求の範囲】
【請求項１】
第１の光伝導部材と、
上記第１の光伝導部材上に第１の潜像を記録する第１のイメージングデバイスと、
上記第１の潜像を現像することにより第１の現像画像を形成する第１の現像ユニットと、
上記第１の光伝導部材と転写領域にて密に隣り合う第２の光伝導部材と、
第２の潜像を上記第２の光伝導部材上に記録する第２のイメージングデバイスと、
上記第２の潜像を現像することにより第２の現像画像を形成する第２の現像ユニットと、
上記第２の光伝導部材上の上記第２の現像画像を上記第１の光伝導部材へと転写する第１の転写ステーションと、
上記第１の光伝導部材上の現像画像を記録基板へと転写する第２の転写ステーションと、
を備える電子写真印刷機。
【請求項２】
請求項１記載の電子写真印刷機であって、上記第１の転写ステーションが、上記第１の光伝導部材上における静電力を低減する部材のためのコンディションシステムを含み、当該静電力の低減によって、上記第１の光伝導部材への上記第２の現像画像の転写態様乃至品質を改善する電子写真印刷機。
【請求項３】
請求項２記載の電子写真印刷機であって、上記コンディションシステムが、上記第１の転写ステーションに先行する放電デバイス位置を含む電子写真印刷機。
【発明の詳細な説明】
【技術分野】
【０００１】
本発明は、一般には、多色のドライトナー又は現像剤により静電潜像を可視化する技術に関し、より詳細には、ハイライト及び／又はカスタムのカラー画像を画像受容体上に形成する技術に関する。なお、本発明は、電子写真、イオノグラフィその他のイメージング技術において使用し得る。
【背景技術】
【０００２】
従来の電子写真技術においては、一般的な手順として、電子写真面上に静電潜像を形成するに当たりまず光伝導絶縁面又はフォトレセプタを均一に荷電させ、次に原画像に従い輻射を励起することによってパターン状に電荷を放逸させるという手順を踏み、イメージング面上の輻射非射突エリアを以て潜像パターンとなしている。この潜像パターンはトナーにて現像することにより可視化される。一般にトナーは帯電したカラーパウダーであり、静電的な吸着力によって荷電パターン上に吸着される。そして、現像された画像は、好適なフュージング技術により、イメージング面上に固着され、或いは受容基板例えば無地の紙上に転写の上で固着される。また、電子写真分野における近年の発展はハイライトカラーイメージング、即ち少なくとも２色を有する画像を単一パス内で提供する技術を指向しており、既に、この単一パスハイライトカラー（ＳＰＨＬＣ）電子写真イメージングシステムに関してはいくつかの発想が知られている。なかでもエレガントで且つ実際的であるのはトライレベルイメージングである。トライレベルイメージングにおいては、一般に、中間電圧を白又は背景レベルとして、１個のイメージングストリップ内に２個の相異なった潜像が形成される。トライレベルイメージングにおいては、現像バイアスを白レベルに近いレベルとし、一方の画像については荷電しているエリアを、また他方の画像については放電しているエリアを現像する。これは、一方の色についてはポジティブトナーを、また他方の色についてはネガティブトナーを、互いに別々のハウジング内で用いることによって達成される。典型的には、一方のトナーは黒であり、他方のトナーは所望のハイライト色である。
【０００３】
Gundlachの名前により発行された特許文献１には、トライレベル電子写真の概念、特に、単一パスハイライトカラーイメージングを実現する手段としてトライレベル電子写真を用いることが、述べられている。この特許文献１に開示されているように、荷電パターンは第１及び第２の色のトナー粒子により現像される。これらのトナー粒子のうち一方の色のトナー粒子は正に、他方の色のトナー粒子は負に帯電させる。そして、例えば、トナー粒子を供給するための現像剤を、摩擦により相対的に正に帯電しているキャリアビーズと負に帯電しているキャリアビーズとの混合物とする。この混合物においては、相対的に負に帯電しているトナー粒子が正に帯電しているキャリアビーズにより、相対的に正に帯電しているトナー粒子が負に帯電しているキャリアビーズにより、それぞれサポートされる。この現像剤は、一般的に、荷電パターンを支持しているイメージング面を横断して当該現像剤を“流す”ことにより、荷電パターンに供給される。或いは、トナー粒子は一対の磁性ブラシにより荷電パターンに供給され得る。各ブラシはある一色及びある電荷のトナーを供給する。更に或いは、現像システムはほぼ背景電圧までバイアスされ、現像された画像の色彩のシャープネスがこのバイアスにより改善される。更に、トライレベル電子写真においては、電荷保持面乃至フォトレセプタ上における電子写真的なコントラストは従来の電子写真のように二様に分けられるのではなく三様に分けられる。フォトレセプタは典型的には９００Ｖまで荷電される。画像は、荷電された画像エリア（引き続き荷電エリア現像即ちＣＡＤに供されるエリア）に対応する画像がフルフォトレセプタポテンシャル（特許文献１の図１ａ及び図１ｂにおけるV.sub.ddp又はV.sub.cad）にとどまるよう、露出される。他の画像は、フォトレセプタがその残留ポテンシャル即ちV.sub.c又はV.sub.dad（典型的には１００Ｖ）まで放電するよう、露出される。この電圧は、引き続き放電エリア現像（ＤＡＤ）に供される放電エリア画像に対応している。背景エリアは、フォトレセプタの一部エリアをV.sub.ddpにて露出し、フォトレセプタポテンシャルをV.sub.cadとV.sub.dadの間にあるポテンシャル、即ちV.sub.w乃至V.sub.whiteと称されるポテンシャル（典型的には５００Ｖ）まで低下させることにより、形成される。ＣＡＤ現像システムは典型的には約１００Ｖ分だけV.sub.whiteよりもV.sub.cadに近い電圧（約６００Ｖ）にバイアスされ、ＤＡＤ現像システムは約１００Ｖ分だけV.sub.whiteよりもV.sub.dadに近い電圧（約４００Ｖ）にバイアスされる。１９９０年４月３日にDan A.Haysに付与された特許文献２に記載されているイメージングシステムにおいては、荷電画像エリア及び放電背景エリアを含む静電荷電パターンが、電荷保持面上に形成される。フル荷電エリアは−約５００Ｖの電圧レベルにあり、背景エリアは−約１００Ｖの電圧レベルにある。画像エリアのある空間部分は狭い現像ゾーンを伴う第１の画像を形成するために使用され、他の空間部分は、色や磁気的状態といったいくつかの物理的プロパティにおいて第１の画像とは異なる他の画像を形成するために、使用される。現像は、ＡＣによる電気的スイッチングとＤＣによる電気的スイッチングとの組み合わせにより迅速に���ターンオン／オフされる。従って、複写機又は印刷機の処理ステーション群を通る単一パスの電荷保持面にて、処理方向に沿った高解像度多色現像が実現される。また、全画像に亘って同一極性の電圧であるため、単極性トナーを用いることができる。単極性トナーにより全画像の現像を行うには、各現像システムの構造を、物理的な移動なしに選択的にアクティベートできるような構造とすればよい。
【０００４】
また、単一パスカスタムカラーシステム（ＳＰＣＣ）に対する需要も増している。カスタムカラーはハイライトカラーに対して次の２点において異なっている。第１に、カスタムカラーは、ある顧客（カスタマ）乃至ユーザ専用にカスタムされた特定の色を表すものである。カスタマは、通常、その色調が自分が特定した色調に合っているかどうかを気にかけるものであるから、当該特定のカラーのトナーは、（プロセス制御が非常に好適に行われるのでない限り）プロセスカラーシステムに含まれているものをプロセスにて生成するのではなく、工場にて組成すべきである。第２に、カスタマカラーの通常の用途としては、カスタマによる文書への瞬時識別符号の付加や、文書への広告の掲載等がある。この種の用途に使用される色は、通常のハイライトカラーとは異なる色であろう。
【０００５】
【特許文献１】米国特許第４０７８９２９号明細書
【特許文献２】米国特許第４９１３３４８号明細書
【特許文献３】米国特許第４３３８３８７号明細書
【特許文献４】米国特許第４２８６０３３号明細書
【特許文献５】米国特許第４２９１１１０号明細書
【特許文献６】米国特許第３１２１００６号明細書
【特許文献７】米国特許第３３５７９８９号明細書
【特許文献８】米国特許第３４４２７８１号明細書
【特許文献９】米国特許第４４１５６３９号明細書
【発明の開示】
【発明が解決しようとする課題】
【０００６】
理想的には、（このように異なっている）ＳＰＨＬＣ及びＳＰＣＣを共に同一文書上で提供できるようにするのが望ましい。即ち、黒に加えてカスタムカラーとハイライトカラーの両方にて、且つシステム中の単一パス内で、文書を印刷できるようにするのが望ましい。残念なことに、トライレベルでは、電荷の極性が２種類であることに対応して、２色しか利用することができない。
【課題を解決するための手段】
【０００７】
そこで、本発明に係る電子写真印刷機は、第１の光伝導部材と、この第１の光伝導部材上に第１の潜像を記録する第１のイメージングデバイスと、第１の潜像を現像することにより第１の現像画像を形成する第１の現像ユニットと、第１の光伝導部材と転写領域にて密に隣り合う第２の光伝導部材と、第２の潜像を第２の光伝導部材上に記録する第２のイメージングデバイスと、第２の潜像を現像することにより第２の現像画像を形成する第２の現像ユニットと、第２の光伝導部材上の第２の現像画像を第１の光伝導部材へと転写する第１の転写ステーションと、第１の光伝導部材上の現像画像を記録基板へと転写する第２の転写ステーションと、を備えるものである。
【発明の効果】
【０００８】
本発明によれば、ハイライト及び／又はカスタムのカラー画像を画像受容体上に形成することができる。
【発明を実施するための最良の形態】
【０００９】
以下、本発明の好適な実施形態について説明する。但し、当該実施形態に本発明を限定する意図ではない。むしろ、別紙請求の範囲に記載されている発明の技術的範囲内には、この実施形態に対する様々な代替物、変形物及び等価物が含まれるものと解されるべきである。
【００１０】
また、本発明の特徴的構成を理解する上で役立つように、図面を参照して説明を行う。その際、同一の又は対応する部材には同一の符号を付す。
【００１１】
図１に、単一パス多色印刷機を示す。この印刷機は次のようなコンポーネントを有している。まず、この印刷機は光伝導ベルト１０を備えており、この光伝導ベルト１０は複数のローラ乃至バー１２により支持され縦長に配置されている。光伝導ベルト１０は矢印１４に沿って送られ、その外表面各部は、その移動経路（パス）に沿って配置されている各処理ステーションの下を、次から次へと移動していく。光伝導ベルト１０は、互いに直交している長軸１２０及び短軸１１８を有している。光伝導ベルト１０は楕円に近い形状を有しており、その長軸１２０は重力ベクトルに対してほぼ平行であり実質的に鉛直方向を向き、その短軸１１８は重力ベクトルに対してほぼ直交しており実質的に水平方向を向いている。画像記録ステーション１６は荷電装置及び露出装置を有している。荷電装置はコロナ発生器２６を備えており、コロナ発生器２６は光伝導ベルト１０の外表面を比較的高く実質的に均一なポテンシャルにより荷電する。この外表面荷電の後、当該荷電された部分は露出装置へと進む。露出装置はラスタ出力スキャナ（ＲＯＳ）２８を有しており、ＲＯＳ２８は光伝導ベルト１０の外表面荷電部位を照らして、第１の静電潜像をその上に記録する。或いは、ＲＯＳ２８に代えて発光ダイオード（ＬＥＤ）を用いることもできる。
【００１２】
この第１の静電潜像は現像ユニット３０により現像される。現像ユニット３０は、選択された色のトナー粒子を第１の静電潜像上に堆積させる。その外表面上にハイライトトナー画像が現像された後、光伝導ベルト１０は矢印１４に沿って画像記録ステーション１８へと進む。
【００１３】
画像記録ステーション１８はモジュール化されており、このモジュール５００は、それと同様の（但し装填されている着色粒子の色は異なる）モジュール６００と可換である。モジュール５００は光伝導ドラム２００、荷電装置、露出装置及びドラムクリーニング装置から構成されている。荷電装置はコロナ発生器２３２を含んでおり、コロナ発生器２３２は、光伝導ドラム２００の外表面を比較的高く実質的に均一なポテンシャルにて荷電する。露出装置はＲＯＳ２３４を含んでおり、ＲＯＳ２３４は光伝導ドラム２００の外表面荷電部位を照らして、第２の静電潜像をその上に記録する。この第２の静電潜像は、カスタムトナー粒子により現像される領域に対応している。そして、この第２の静電潜像は現像ユニット２３６へと進む。
【００１４】
現像ユニット２３６は、ＨＬＣトナー粒子を静電潜像上に堆積させる。これによって、カスタムトナーパウダー画像が光伝導ドラム２００の外表面上に形成される。カスタムトナーパウダー画像が光伝導ドラム２００の外表面上に現像された後、光伝導ベルト１０は矢印に沿ってコンディショニングステーション２２０へと進む。
【００１５】
コンディショニングステーション２２０は、従来型の光伝導ベルト１０を中間転写ベルトとして使用できるようにする。これによって、第２のトーン付きカラー画像を転写して黒及びＨＬＣトーン付き画像をベルト上に形成し、更にベルト上の画像を他の媒体に転写することが、可能になる。或いは、米国特許出願（１０／６９６，２１２）に開示の如くセグメント化された接地面を伴うベルトを、用いることもできる。そのようなフォトレセプタを用いることによって、セグメント化された接地面に差し向かうバイアスパッド４００を用い（従ってフォトレセプタベルトの残りの部位における電界に影響を及ぼすことなく）、所望のエリア例えば画像フレームへとフィールドテイラリングすることが可能になる。好ましくは、従来型のフォトレセプタをフィールドテイラリングに用いる際、ベルトの背後に放電ランプを設けると共にドラムモジュールを非接地ドラムマーカモジュールによりバイアスすることによって、これを行うことができる。これらの構成を用いるには、いずれも、図２に示す転写ポイントにて幾分かの静電テイラリングを行うことが、求められる。
【００１６】
図２に示すコンディショニングランプは、電界及び表面電荷を画像背景からトラップし、表面に到来する電荷＋ｖｅによりトナーを均一化することを、可能にしている。
【００１７】
転写ステーション３００においては、ドラム２００上に現像された画像がベルト１０に転写される。現像された画像については、ＨＣＬ画像を提供すべくベルト上の現像画像と同一画像フレームに転写することができ、或いは隣接した画像フレームに転写することができる。転写ステーション３００はバイアス転写部材２５０を有しており、バイアス転写部材２５０は、セグメント化されているベルトを用いる際バイアスを印加して、ドラム２００からベルト１０へと画像を転写させる。その後、光伝導ベルト１０上のＨＬＣトナーパウダー画像は転写ステーション５６へと進む。
【００１８】
他方で、受容媒体例えば紙が、シートフィーダによってスタック５８から転写ステーション５６へと送給・案内されてくる。転写ステーション５６においては、コロナ発生器６０により、紙の裏面上にイオンがスプレーされる。これによって、現像された多色トナー画像が、光伝導ベルト１０の外表面から紙のシート上へと吸い寄せられる。ストリッピングアシストローラ６６は、光伝導ベルト１０の内表面に接触し当該接触部位にて光伝導ベルト１０を曲げる。即ち、紙自身のビーム強度によって移動中の紙が光伝導ベルト１０から引き離されるよう、当該接触部位にて十分シャープに曲げる。更に、真空吸引によって、紙のシートは矢印６２の方向に沿いフュージングステーション６４へと進む。
【００１９】
フュージングステーション６４は、加熱されたフューザローラ７０及びバックアップローラ６８を有している。バックアップローラ６８はフューザローラ７０に対し弾性的に抗しつつ接しており、紙のシートはこのバックアップローラ６８とフューザローラ７０との隙間を通る。フュージング動作においては、画像が形成されるようトナー粒子同士が癒合してシートに固着し、これによって多色画像が形成される。更に、フュージングを経たシートは仕上げステーションに送られ累積されて、あるまとまりのセットとしてキャッチトレイに送られる。印刷機オペレータは、このようにして排出されたシートセットを受け取る。
【００２０】
多色トナーパウダー画像を紙のシートに転写した後は、往々にして、光伝導ベルト１０の外表面に残留トナー粒子が貼り付いて残っている。光伝導ベルト１０は、クリーニング動作を他から分離区画するためのアイソレーションローラ７８上を動いて、クリーニングステーション７２へと送られる。クリーニングステーション７２においては、光伝導ベルト１０から残留トナー粒子が除去される。その後、光伝導ベルト１０はスポットブレード８０の下を動く。このスポットブレード８０もトナー粒子を除去する。同様に、光伝導ドラム２００の外表面に貼り付いて残留しているトナー粒子は、クリーニング装置２５５によって清掃される。
【００２１】
図４及び図５に、光伝導ベルト（フォトレセプタベルト）１０を拡大して示す。これらの図に示す光伝導ベルト（フォトレセプタベルト）１０は、絶縁基板７２０の上に堆積された導電素材により形成されている１個の層と、この層の上に堆積された他のいくつかのアクティブ層から、構成されている。アクティブ層群として設けられているのは、電荷転移層（ＣＴＬ）７３５及び電荷発生層７３０である。導電層７２５はセグメント化されており、静電的接地層として使用される。この接地層７２５はパッド４００によってシステムの接地又は印加バイアスに接続される。
【００２２】
接地層７２５は、その絶縁セパレーションライン７４０によってセグメント化されている。絶縁セパレーションライン７４０は一定の間隔にて配置されており、画像品質（ＩＱ）に問題を生じさせない程度に十分に細い。ＩＱに関する要請を満たすには、セパレーションライン７４０は１０乃至２０μｍ未満の細さであればよい。それは、他の層が連続的であり、またギャップの幅がＣＴＬの厚みに比べて小さいからである。
【００２３】
導電層７２５におけるセグメント化されたアドレス可能なエリアは、荷電中等においてフォトレセプタを接地し、また現像中・転写中・清掃中等において当該導電層を他の電位に接続するのに、使用することができる。これによって、トライレベルＨＬＣの性能やハイライトカラー向けの他のオプションの性能を、高めることができる。
【００２４】
図４に、フォトレセプタ（ＰＲ）ベルトの推奨構成、特に１０〜２０μｍの細いラインによりその導電層がセグメント化された構成を示す。この構成はいくつかのやり方によって形成・製造することができる。例えば、導電層の堆積中に絶縁基板をマスキングすることにより、或いはアルミニウム化された基板を他の層の被覆に先立ってエッチングすることにより、形成することができる。無論他の方法も採用可能である。これは半導体や電子回路製造の分野において周知の技術である。
【００２５】
セグメント化により形成された導電セグメントは、セグメント化されたストリップ７１５を介して外部電源に接続される。このセグメント化されたストリップ７１５は、現在の光伝導ベルトにおいて用いられているものと同様の導電素材から形成されている。セグメント化されたベルトは、フォトレセプタインタフェースにおける選択的なフィールドテイラリング、特に各機能毎に導電層をアドレスすることによるそれによって、システムの能力を向上させ得る点で、有用である。例えば、荷電中及びイメージング中に導電層を接地し、現像中・転写中・清掃中その他においては導電層を接地又は（当該導電層に印加すべき）あるポテンシャルに接続することができる。
【００２６】
次に述べるように、本発明を実施するに際してはフォトレセプタにおいて様々な層及び様々な工法を採用することができる。無論、ここに示したもの以外も採用することができる。本発明に係るフォトレセプタを準備するに当たっては好ましくはまず基板を準備する。基板は例えば不透明な基板でもよいし実質的に透明な基板でもよい。また、基板は所要の機械的特性を有する多様な好適素材から形成できる。基板は、非有機又は有機化合物等の導電素材により形成された層を有する構成とすることができる。基板は好ましくは可撓性を有する。基板は、また、シート、スクロール、エンドレスフレキシブルベルト等、多様な形態を採り得る。好ましくは、基板はエンドレスフレキシブルベルトの形態を採る。非導電素材としては、例えばポリエステル、ポリカーボネート、ポリアミド、ポリウレタン等、目的に沿う限り各種の樹脂を使用することができる。
【００２７】
基板は、好ましくは、商業的に利用可能な２軸延伸ポリエステルから構成される。例えば、E.I. du Pont de Nemours & Co.から入手できるMYLAR（登録商標）、ICI Americas Inc.から入手できるMELINEX（登録商標）、American Hoechst Corporationから入手できるHOSTAPHAN（登録商標）等である。基板は、また、フッ化ポリビニルやポリイミド等の素材により形成された部位を含む構成とすることができる。例えば、E.I. du Pont de Nemours & Co.から入手できるTEDLAR（登録商標）等のフッ化ビニルや、E.I. du Pont de Nemours & Co.から入手できるKAPTON（登録商標）等のポリイミドである。
【００２８】
その表面に導電接地面が被覆された絶縁プラスチックドラム上をフォトレセプタにより被覆することができる。導電基板を採用するに当たっては、好適な導電素材を使用できる。例えば、導電素材は、アルミニウム、チタン、ニッケル、クロム、真鍮、金、ステンレススチール、カーボンブラック、グラファイト等を、金属酸化物、金属硫化物、四基アンモニウム塩化合物、ポリアセチレン又はその熱分解物及び分子ドープ生成物、電荷移転性コンパウンド、ポリフェニルシラン及びその分子ドープ生成物等の導電性ポリマ等を含むバインダ樹脂に混ぜた、金属フレーク、パウダー乃至ファイバを含む構成とすることができる。
【００２９】
アルミニウム等の金属から形成された導電金属ドラムと並び、導電プラスチックドラムを用いることができる。基板の最適厚みは、要求される機械特性や経済性を含め、多くの要因に依存して決まる。基板の厚みは、典型的には約６５μｍ〜約１５０μｍの範囲、より好ましくは約７５μｍ〜約１２５μｍの範囲内で定める。後者の範囲内であれば、好適な可撓性を得ると共に、直径が小さいローラ（例えば直径が１９ｍｍのローラ）の近傍で惹起される表面曲げ応力を最小化することができる。
【００３０】
最終的に得られる光伝導ベルトにおいて特に不利な効果を惹起することなしに、可撓性ベルト用の基板の肉厚を例えば２００μｍ超、最小で例えば５０μｍ未満とすることができる。接地層は、溶液コーティング、気相成長、スパッタリング等、公知の被覆技術により形成することができる。導電接地層を形成する上で好適な方法は真空成長であるが、他の好適な方法も用いることができる。接地層の最適厚みが採り得る範囲は非常に広い範囲であり、電子光伝導部材に対して要求される光学的な透明さ及び可撓性に依存している。
【００３１】
従って、可撓性光反応型イメージングデバイスについて、導電性、可撓性及び光透過性の各面の組み合わせという観点から見たとき導電層としての好適な厚みは、約２０〜約７５０オングストローム、より好適には約５０〜約２００オングストロームの範囲であると言える（但し１オングストローム＝０．１ｎｍ）。しかしながら、接地層は不透明とすることができ、フロントイレーズも用いることができる。ブロッキング層を導電層上に配置してもよい。とはいえ、望むのであれば、電荷ブロッキング層を本発明において用い導電層上に設けてもよい。
【００３２】
フォトレセプタ構造を反転した場合について言えば、荷電面からフォトレセプタを通り接地層へとホールが移動し潜像が崩れることを、ホールブロッキング層により防ぐことができる。フォトレセプタを負に荷電した場合について言えば、導電層から合い対向する光伝導層へのホール注入を防ぐための障壁を形成可能な、各種の適当なホールブロッキング層を、利用することができる。特許文献３〜５に開示されているように、ホールブロッキング層は、ポリビニルブチラール、エポキシ樹脂、ポリエステル、ポリシロキサン、ポリアミド、ポリウレタン等を含む構成とすることができるが、他の好適な素材も使用することができる。
【００３３】
本発明に係る電荷発生層は、ポリマ及び光発生粒子(photogenerating particles)により形成された電荷発生膜を備える構成とすることができる。本発明のある実施形態に係る電荷発生層は更に、基本電子ドナー又はプロトンアクセプタグループに含まれる有機分子を含め１種類又は複数種類のドーパントを含む構成とすることができる。ポリマから形成された電荷発生膜の好適な例としては、特許文献６に記載されているものがある。ポリマから形成された膜は、その上に電荷発生層が形成される層に好適に貼り付き、（もしそのようなものを用いるのであれば）様々な隣接接着層を溶かす溶媒に好適に溶け、（もしそのようなものを用いるのであれば）当該様々な隣接接着層のコポリマに好適に混合してポリマブレンドゾーンを形成できる。例えば、好適な膜形成素材としては、ポリビニルカルバゾール（ＰＶＫ）、フェノキシ樹脂、ポリスチレン、ポリカーボネート樹脂等、商品名Vitel PE-100（Goodyear社から入手可能）、Lexan 141及びLexan 145（General Electric社から入手可能）として入手可能な素材を、掲げることができる。
【００３４】
他の好適な素材を用いることもできる。光発生粒子として好適に利用できる素材の例としては、ペリレン及びペリノン(perinone)等のアミド、セレンＩＩ−ＶＩ又はテルルＩＩＩ−Ｖ化合物等のカルコゲン、アモルファスセレン、三方性(trigonal)セレン、セレン合金（例えばセレン・テルル合金、セレン・テルル・ヒ素合金、ヒ化セレン）、フタロシアニン顔料（例えば特許文献７に記載されているＸフォームのメタルフリー・フタロシアニン）、金属フタロシアニン（例えばバナジルフタロシアニン及び銅フタロシアニン）、ジブロモアンサンスロン(dibromoanthanthrone)、スカリリウム(squarylium)、キナクリドン（例えばE.I. du Pont de Nemours & Co.から商品名Monastral Red、Monastral Violet及びMonastral Red Yにて入手可能）、ジブロモアンサンスロン顔料(dibromoanthanthrone pigment)（商品名Vat Orange 1及びVat Orange 3にて入手可能）、ベンゾイミダゾールペリレン、特許文献８に記載されている置換２，４−ジアミノトリアジン、多環状芳香族キノン（Allied Chemical Corporationから商品名Indofast Double Scarlet、Indofast Violet Lake B、Indofast Brilliant Scarlet及びIndofast Orangeにて入手可能）等がある。
【００３５】
特に好適な光発生粒子としては、バナジルフタロシアニン、三方性セレン及びベンゾイミダゾールペリレンを掲げることができる。多層化光発生層なる構造も使用でき、光伝導層により光り発生層の特性を加減できる。このタイプの構成については特許文献９に記載されている。本件技術分野において知られている光発生素材であれば他のものも使用することができる。
【００３６】
白色光に対する感受性からすれば、電荷発生層として、次のような素材により形成されたものを使用するのが望ましい：バナジルフタロシアニン、チタニルフタロシアニン、メタルフリー・フタロシアニン、ベンゾイミダゾールペリレン、アモルファスセレン、三方性セレン、セレン合金（例えばセレン・テルル合金、セレン・テルル・ヒ素合金、ヒ化セレン）、或いはこれらの混合物。赤外線における感受性という利点からすれば、更に、バナジルフタロシアニン、チタニルフタロシアニン、メタルフリー・フタロシアニン、及びテルル合金が望ましい。電荷発生層において使用し得る好適な光伝導素材としては、ベンゾイミダゾールペリレン、三方性セレン及びバナジルフタロシアニンを掲げることができる。本発明のある実施形態における光発生層は導電層（又は基板上に設けられた何らかの電荷ブロッキング層）上に形成され、電荷転移層は光発生層上に形成される。電荷発生被覆組成物は、非常に高品質のリソグラフィ印刷により、又はフォトレジストにより被覆された発生膜の光パターニング及びエッチングにより、形成される。
【００３７】
その後、電荷発生被覆組成物は溶媒除去のため乾燥される。成長した被覆の乾燥は、被覆を形成するのに使用した溶媒を実質的に全て除去できる限りにおいて、オーブンによる乾燥、赤外線放射による乾燥、空気乾燥等、従来から知られている様々な技術により実行することができる。本発明における光発生層は一般に約０．１〜約５．０μｍの範囲に属する厚みとし、より好ましくは約０．３〜３．０μｍの範囲に属する厚みとする。この範囲外の厚みとした場合であっても、本発明に係る効果は得られる。電荷転移層の素材は一般に、電荷発生層からの光により発生したホールの注入をサポートできその層を介したこれらホールの移転を許容して表面電荷を選択的に放電させるような、透明な有機ポリマ素材又は非ポリマ素材とする。
【００３８】
本発明に関し特定の実施形態を参照して詳細に説明した。しかしながら、理解されるべきことに、説明した実施形態に対してその各種態様及び変形物も、別紙特許請求の範囲に記載した発明の技術的範囲内に属するものと理解されるべきである。
【図面の簡単な説明】
【００３９】
【図１】印刷機の一例を示す図である。
【図２】フォトレセプタの一部フィールドを切り出して示す図である。
【図３】本発明に係るプロセスを模式的に示す図である。
【図４】本発明において用いるフォトレセプタを示す図である。
【図５】本発明において用いるフォトレセプタを示す図である。
【符号の説明】
【００４０】
１０  光伝導ベルト、１２  ローラ乃至バー、１６，１８  画像記録ステーション、２８  ラスタ出力スキャナ（ＲＯＳ）、３０  現像ユニット、５６  転写ステーション、５８  スタック、６４  フュージングステーション、６６  ストリッピングアシストローラ、６８  バックアップローラ、７０  フューザローラ、７２  クリーニングステーション、７８  アイソレーションローラ、８０  スポットブレード、２００  光伝導ドラム、２２０  コンディショニングステーション、２３６  現像ユニット、２５０  バイアス転写部材、２５５  クリーニング装置、３００  転写ステーション、４００  バイアスパッド、５００，６００  モジュール、７１５  ストリップ、７２０  絶縁基板、７２５  導電層、７２５  接地層、７３０  電荷発生層、７４０  セパレーションライン。
【図１】
2005134901.tif 000003
【図２】
2005134901.tif 000004
【図３】
2005134901.tif 000005
【図４】
2005134901.tif 000006
【図５】
2005134901.tif 000007